(57)【特許請求の範囲】
【請求項１】
アーム状の商品吊り下げ用のフック部材であって、商品が吊り下げられる吊り下げ本体
部と、後方縦棒部と、該吊り下げ本体部と該後方縦棒部間に位置する、該吊り下げ本体部
から後方に向けて上り傾斜状又は起立状の立ち上がり部を有し、該後方縦棒部と該傾斜状の立ち上がり部の接続部は、角のないアール形状であり、該起立状の立ち上がり部は該後方縦棒部と上方で接続され、該起立状の立ち上がり部と該後方縦棒部で形成される側面視形状は逆Ｕ字形状であり、
該後方縦棒部を固定側の取付部に取り付けた状態において、吊り下げ本体部に吊り下げ商品の上部に形成された通し穴を通して商品を吊り下げるものであり、該後方縦棒部を該取付部から取り外した状態において、該後方縦棒部の後端から吊り下げ商品の通し穴を通して商品を、前方へ補充できることを特徴とするフック部材。
【請求項２】
該吊り下げ本体部は真っ直ぐに延びる直線部を有し、該後方縦棒部は、該直線部に対し
て直交方向に延びるものであることを特徴とする請求項１記載のフック部材。
【請求項３】
請求項１又は２に記載のフック部材と、
該フック部材を抜き差し自在に支持する、固定部材に装着される取付部とを有することを
特徴とする商品吊り下げ具。
【請求項４】
該取付部は、該後方縦棒部が嵌合する、上下方向に延びる縦孔または貫通孔を有する円
筒嵌合部を備えるものであることを特徴とする請求項３記載の商品吊り下げ具。
【請求項５】
該取付部は、該後方縦棒部が嵌合する、上下方向に延びる縦孔または貫通孔を有する円
筒嵌合部と、該立ち上がり部が支持される立ち上がり部支持部とを備えるものであること
を特徴とする請求項３記載の商品吊り下げ具。
【請求項６】
角材である固定部材に上方から被せることで取付けられる、後方板部と上方板部と前後
方向に貫通する貫通孔を有する前方板部とを備える固定側取付部と、
該固定部材と該前方板部間に介在する板状体と、該板状体の前面に付設される該貫通孔
から前方へ突出する該後方縦棒部を嵌合する第２嵌合部を有する中間取付部とを更に備え
、該板状体の裏面には、該板状体から後方へ延びる上方への抜け防止用の突起が形成され
ることを特徴とする請求項３記載の商品吊り下げ具。 
【発明の詳細な説明】
【技術分野】
【０００１】
本発明は、スーパー、量販店、コンビニ等において使用される、商品の補充に好適な商品吊り下げ用のフック部材及びこれを備える商品吊り下げ具に関する。
【背景技術】
【０００２】
スーパー、量販店、コンビニ等において、商品を吊り下げて陳列する商品吊り下げ具が知られている。このような商品吊り下げ具としては、従来より様々な工夫がされたものが多数提案されている（実用新案登録３０７９６９６、特開２００８−１７８４４１号公報、特開２００７−２９１５４号公報、特開２０００−６０６９８号公報）。例えば、図１９に示すような商品吊り下げ具１００は、固定部材１０４に取付けられる側面視形状がコ字状の取付部１０１と、取付部１０１から前方に延びるアーム状のフック部材１０２とを備えるものである。そして、包装袋又は包装容器状の商品Ａは、上部に形成された通し穴１０３にフック部材１０２を通して前後方向に多数陳列される。
【０００３】
消費者は、商品Ａを購入する際、前方の商品をフック部材１０２から抜き取ってゆく。このように、前後方向に並んだ多数の商品Ａは前方側から次から次へ抜き取られてゆく。なお、従来の商品吊り下げ具には、自動又は手動で商品の前出しを行う機能を有するものがあり、このような商品吊り下げ具においては、適宜、前出しが行われる。そして、陳列商品Ａの大部分が抜き取られると、陳列商品Ａを新たに補充する必要がある。通常、商品の補充は陳列商品Ａが全て無くなると拙いため、少しの陳列商品が残った状態で補充が行われる。
【先行技術文献】
【特許文献】
【０００４】
【特許文献１】実用新案登録３０７９６９６
【特許文献２】特開２００８−１７８４４１号公報
【特許文献３】特開２００７−２９１５４号公報
【特許文献４】特開２０００−６０６９８号公報
【発明の概要】
【発明が解決しようとする課題】
【０００５】
従来の図１９の商品吊り下げ具１００における商品の補充の作業は、未だ売れていない陳列商品Ａを全部フック部材１０２の前方から抜き取り、その後、新たな商品を前方から補充し、奥側（後方側）に移動させた後、抜き取った商品を元の吊り下げ状態に戻すことで行われている。未だ売れていない陳列商品Ａを全部フック部材１０２に残したまま、前方から新たな商品を補充すると、鮮度の高い商品が前方に、鮮度の高い商品より鮮度の低い商品が後方に残ってしまい問題となる。このように、図１９の商品吊り下げ具１００においては、吊り下げ商品の抜き取り、新たな商品の補充及び抜き取り商品の戻しと３つの作業工程が必要となり作業者にとってやっかいな作業であった。従って、補充工程が１工程で済むような商品吊り下げ具であれば、極めて都合がよい。
【０００６】
従って、本発明の目的は、補充工程が１工程で済む商品補充に好適な商品吊り下げ具及びこれに使用するフック部材を提供することにある。
【０００７】
すなわち、本発明は、上記従来の課題を解決するものであって、アーム状の商品吊り下げ用のフック部材であって、商品が吊り下げられる吊り下げ本体部と、後方縦棒部と、該吊り下げ本体部と該後方縦棒部間に位置する、該吊り下げ本体部から後方に向けて上り傾斜状又は起立状の立ち上がり部を有することを特徴とするフック部材を提供するものである。
【０００８】
また、本発明は、前記フック部材と、該フック部材を抜き差し自在に支持する、固定部材に装着される取付部とを有することを特徴とする商品吊り下げ具を提供するものである。
【発明の効果】
【０００９】
本発明の商品吊り下げ具によれば、商品を補充する際、商品を吊り下げるフック部材を取付部から取り外す。次いで、フック部材の後方から補充商品を補充する。これにより、鮮度の高い商品はフック部材の後方に、補充前に吊り下げられていた商品は前方に移動する。また、フック部材の後方側に傾斜状又は起立状の立ち上がり部を設けたため、フック部材を取付部から取り外す際、吊り下げられている商品が後方から脱落することはない。また、本発明のフック部材によれば、本発明の商品吊り下げ具に使用する一部品を提供できる。
【図面の簡単な説明】
【００１０】
【図１】本発明の第１の実施の形態における商品吊り下げ具の斜視図である。
【図２】図１の商品吊り下げ具の分解斜視図である。
【図３】図１の商品吊り下げ具で使用する取付部の平面図である。
【図４】図１の商品吊り下げ具の断面図である。
【図５】商品の補充工程の説明図であり、取付部からフック部材を外した図である。
【図６】商品の補充工程の説明図であり、取付部からフック部材を外した他の図である。
【図７】商品の補充工程の説明図であり、フック部材の後方から商品を補充する図である。
【図８】本発明の第２の実施の形態における商品吊り下げ具の斜視図である。
【図９】図８の商品吊り下げ具の分解図である。
【図１０】図８の商品吊り下げ具で使用する中間取付部の斜視図である。
【図１１】図８の商品吊り下げ具で使用する中間取付部の裏側から見た斜視図である。
【図１２】図１０の中間取付部の平面図である。
【図１３】図８の商品吊り下げ具の取付部近傍の拡大側面図である。
【図１４】第３の実施の形態における商品吊り下げ具の分解斜視図である。
【図１５】図１４の商品吊り下げ具の断面図である。
【図１６】図１４の商品吊り下げ具における商品の補充工程の説明図であり、取付部からフック部材を外した他の図である。
【図１７】図１４の商品吊り下げ具における商品の補充工程の説明図であり、フック部材の後方から商品を補充する図である。
【図１８】第４の実施の形態における商品吊り下げ具の分解図である。
【図１９】従来の商品吊り下げ具の側面図である。
【発明を実施するための形態】
【００１１】
次に、本発明のフック部材及びこれを用いる第１の実施の形態における商品吊り下げ具を図１〜図７を参照して説明する。図２に示すように、フック部材１０は、アーム状の商品吊り下げ用のフック部材であって、商品Ａが吊り下げられる吊り下げ本体部１１と、後方縦棒部１２と、吊り下げ本体部１１と後方縦棒部１２間に位置する後方上り傾斜の傾斜部１３（立ち上がり部）とを有する。すなわち、本例のフック部材１０は、丸棒部材の後方端部において上方に屈曲させ後方上り傾斜の傾斜部を形成し、次いで下方に鋭角に屈曲させ後方縦棒部（鉛直部）を形成したものである。吊り下げ本体部１１は、フック部材１０の大部分を占めるものであり、前後方向に真っ直ぐに延びる直線部を有し、該直線部は、使用状態において水平状態又は若干前方に向けて下り傾斜状に設置される。
【００１２】
フック部材１０において、後方縦棒部１２は、取付部２０に着脱自在に取り付けられる部分であり、吊り下げ本体部１１の直線部に対して直角で上下方向に真っ直ぐ延びる鉛直部材または吊り下げ本体部１１に対して内角が直角より若干小である上下方向に真っ直ぐ延びる部材である。後方縦棒部１２の長さ（高さ）は、取付部２０に取り付けた際、安定した固定が得られる長さであり、通常２０〜３０ｍｍ程度あればよい。
【００１３】
フック部材１０において、傾斜部１３は、図６に示すように、フック部材１０を取付部２０から取り外した際、吊り下げ商品Ａの後方端からの脱落を防止する脱落防止部である。従って、傾斜部１３の前端は、吊り下げ本体部１１の後端と接続し、傾斜部１３の後端は、後方縦棒部１２の上端と接続する。また、傾斜部１３と後方縦棒部１２の接続部は、角のないアール（丸み）を形成することが、後方からの商品補充を円滑に行うことができる点で好ましい（図７参照）。傾斜部１３と後方縦棒部１２の接続部が丸みのない、角を形成するものであれば、商品補充の際、吊り下げ商品の上部に形成された通し穴が角に引っ掛かり、商品の円滑な補充を妨げる。傾斜部１３は、真っ直ぐに延びる吊り下げ本体部１１から２０°〜４０°、好ましくは２５°〜３５°の角度で傾斜していると、商品の後方脱落防止と、商品の円滑な補充の双方を満足させることができる。傾斜部１３の長さは、適宜決定すればよいが、２０〜３０ｍｍ程度あればよい。フック部材１０の先端には、吊り下げ本体部１１の先端から前方へ上り傾斜の前方傾斜部１４を形成してもよい。これにより、使用時において、不用意に吊り下げ商品が前方から脱落することを防止できる。
【００１４】
次に、第１の実施の形態における商品吊り下げ具を説明する。商品吊り下げ具１０Ａは、フック部材１０と、フック部材１０を抜き差し自在に支持する、固定部材５０に装着される取付部２０とを有する。固定部材５０としては、左右方向に延びる角部材あるいは左右方向に延びる線材などが挙げられ、特に左右方向に延びる角部材が安定した取付ができる点で好ましい。これらの角部材や線材は両端において支柱などに固定される。
【００１５】
取付部２０は、固定部材５０に取り付けられると共に、フック部材１０を取り付けるものである。取付部２０の固定部材５０への取付は着脱不能または着脱可能のいずれであってもよいが、本例では着脱可能の取り付けである。本例の取付部２０は、角材である固定部材５０に上方から被せることで取付けられるもので、後方板部２１と上方板部２２と前方板部２３とを備える。また、前方板部２３には、フック部材１０の後方縦棒部１２が嵌る嵌合部２４が付設されている。すなわち、嵌合部２４は、フック部材１０の後方縦棒部１２が嵌る円筒嵌合部２４４と、円筒嵌合部２４４の上端部から前方へ下り傾斜状に形成される、フック部材１０の傾斜部（立ち上がり部）１３が支持される傾斜支持部２４３（立ち上がり部支持部）を備える。円筒嵌合部２４４には、後方縦棒部１２が嵌合する上下方向に延びる貫通孔２４１が形成され、傾斜支持部２４３には、フック部材１０の傾斜部１３が支持される傾斜溝２４２が形成されている。傾斜溝２４２は貫通孔２４１と連続し、貫通孔２４１の上端から前方下り傾斜で延びている。これにより、フック部材１０の後方縦棒部１２と傾斜部１３が、嵌合部２４に嵌合して支持されるため、左右方向への振れは生じない。また、フック部材１０は、手で引き上げれば、嵌合部２４から簡単に外すことができる。貫通孔２４１は、下端が閉じた縦孔であってもよい。なお、嵌合部２４において、傾斜支持部２４３は省略してもよく、また、傾斜支持部２４３の傾斜長さを短くしてもよい。傾斜支持部２４３を省略する場合、円筒嵌合部２４４の上端前部に、フック部材１０の傾斜部１３が嵌る溝を形成すればよい。
【００１６】
次に、商品吊り下げ具１０における商品の補充方法について図５〜図７を参照して説明する。商品吊り下げ具１０において、商品の補充を行う場合、取付部２０からフック部材１０を取り外す。取付部２０からフック部材１０を取り外すには、フック部材１０を把手して上方（図５の符号Ｘ方向）に引き上げればよい（図５参照）。この際、図５のように、吊り下げ商品Ａが後方に位置すると、吊り下げ商品を含めたフック部材１０において、前後の重量バランスが崩れて、図６に示すように、吊り下げ商品Ａが後方端に移動することがある（図６の符号Ｙ１方向）。この場合、バランスを崩した後のフック部材１０の傾斜角度が傾斜部１３の傾斜角度より小であると、傾斜部１３は依然として、後方上り傾斜となり、吊り下げ商品Ａが後方端より脱落し難くなる（図６）。次に、図７に示すように、新たな吊り下げ商品Ａは、フック部材１０の後方端から符号Ｙ２方向（前方方向）へ補充する。フック部材１０の後方端部は、後方縦棒部１２と傾斜部１３の接続部がアール形状となっているため、後方からの商品補充を円滑に行うことができる（図７参照）。また、補充商品が後方側に位置し、元々フック部材１０の残っている商品が前方にくるため、商品の鮮度バランスがよくなる。
【００１７】
次に、第２の実施の形態における商品吊り下げ具を図８〜図１３を参照して説明する。第２の実施の形態における商品吊り下げ具１０Ｂにおいて、第１の実施の形態における商品吊り下げ具１０Ａと同一構成要素には同一符号を付してその説明を省略し、異なる点について主に説明する。すなわち、商品吊り下げ具１０Ｂは、フック部材１０と、角材である固定部材５０に上方から被せることで取付けられる、後方板部２１と上方板部２２と前後方向に貫通する貫通孔２５を有する前方板部２３ａとを備える固定側取付部２０ａと、固定部材５０と前方板部２３ａ間に介在する板状体３１と、板状体３１の前面に付設される貫通孔２５から前方へ突出する後方縦棒部１２を嵌合する第２嵌合部２４ａを有する中間取付部３０とを更に有し、板状体３１の裏面には、板状体３１から後方へ延びる上方への抜け防止用の突起３３が形成され、第２嵌合部２４ａに後方縦棒部１２が嵌合するものである。商品吊り下げ具１０Ａは、フック部材１と取付部２０の２部材であるが、商品吊り下げ具１０Ｂは、フック部材１０と固定側取付部２０ａと樹脂製の中間取付部３０の３部材である。商品吊り下げ具１０Ｂは、樹脂製の中間取付部３０を設け、この中間取付部３０を固定側取付部２０ａの中に介在させ、中間取付部３０に上方への抜け防止用の突起３３を形成したため、補充の際、フック部材１０を中間取付部３０から取り外す際、中間取付部３０及び固定側取付部２０ａが連れ上がりして固定部材５０から外れることを防止する。
【００１８】
商品吊り下げ具１０Ｂにおいて、固定側取付部２０ａは、金属製のものが好ましく、長方形の板材を長手方向の２箇所で直角に屈曲させ、略コ字形状とし、更に前方板部２３ａに四角状の貫通孔（窓部）２５を形成したものである。なお、前方板部２３ａは、貫通孔２５を形成するため、上下方向の長さ（高さ）を十分に採っている。貫通孔２５には、中間取付部３０の第２嵌合部２４ａが裏面（固定部材側）から挿通される。
【００１９】
商品吊り下げ具１０Ｂにおいて、中間取付部３０は、薄肉の板状体３１と、板状体３１のほぼ中央に形成される第２嵌合部２４ａを備える。薄肉の板状体３１において、第２嵌合部２４ａの外側であって、且つ両側縁近傍及び下側縁近傍に亘りコ字形状の切り欠き３４が形成されている。これにより、切り欠き３４より外側のコ字形状部３６が前後方向に撓みやすくなる。そして、板状体３１の裏面、具体的には、外側のコ字形状部３６の裏面に、後方へ延びる上方への抜け防止用の突起３３が形成されている。突起３３は、上端面が板状体３１の裏面と直角の平坦面であり、段差３３１を形成している。この段差３３１は、使用状態において固定部材５０である角材の下端面に当接するように形成される。切り欠き３４より外側のコ字形状部３６を撓み部とすることで、中間取付部３０の固定部材５０への取付が容易となる。
【００２０】
中間取付部３０の板状体３１の表面に形成される第２嵌合部２４ａは、商品吊り下げ具１０Ａの嵌合部２４と同様であり、フック部材１０の後方縦棒部１２が嵌る円筒嵌合部２４４と、円筒嵌合部２４４の上端から前方へ下り傾斜状に形成される、フック部材１０の傾斜部１３が支持される傾斜支持部２４３を備える。円筒嵌合部２４４には、後方縦棒部１２が嵌合する上下方向に延びる貫通孔２４１が形成され、傾斜支持部２４３には、フック部材１０の傾斜部１３が支持される傾斜溝２４２が形成されている。貫通孔２４１と傾斜溝２４２は連続しており、傾斜溝２４２は、貫通孔２４１の上端から前方へ下り傾斜している。また、円筒嵌合部２４４の両側面で且つ後方端には、小突起３５が形成されている。小突起３５、３５により、固定側取付部２０ａの貫通孔２５に第２嵌合部２４ａを強く嵌めることができる。小突起３５、３５の両側は後方に向けて左右方向の外側に漸次大となっている。これにより、貫通孔２５に第２嵌合部２４ａを嵌める際、嵌合工程の後半部分において、強い嵌合となり、中間取付部３０が固定部材５０の強く固定される。
【００２１】
商品吊り下げ具１０Ｂは、中間取付部３０と固定側取付部２０ａを組み付け、固定部材５０に固定し、次いで、フック部材１０を取り付けて使用状態とすることができる。すなわち、図９に示すように、中間取付部３０を固定側取付部２０ａの下方から潜り込ませ（入れ込み）、第２嵌合部２４ａを固定側取付部２０ａの貫通孔（窓部）２５に、裏側から外側に通して、第２嵌合部２４ａを前方へ突出させる。この際、円筒嵌合部２４４の両側面の小突起３５、３５の外側間の最大寸法（左右方向の幅寸法）が、貫通孔２５の左右方向の内寸法より若干大であるため、強い嵌合ができる。固定側取付部２０ａに中間取付部３０を組み込んだ後、固定側取付部２０ａを固定部材５０にはめ込む。すなわち、組み込み体を固定部材５０に対して上方から下方に嵌め込めばよい。この際、突起３３が嵌め込みの障害となるが、突起３３が形成されるコ字形状部３６の撓み部が前方に撓むため、嵌め込みの障害とならず、嵌合後は、突起３３が固定部材５０である角材の前方側の下端に当接することになり、固定側取付部２０ａと中間取付部３０は、固定部材５０から上方へ外れ難くなる。この状態において、板状体３１は、固定部材５０と前方板部２３ａ間に介在する。次いで、フック部材１０の後方縦棒部１２を中間取付部３０の貫通孔２４１に差し込み、フック部材１０の傾斜部１３を傾斜支持部２４３に載せることで、フック部材１０の取付けは完了する。吊り下げ商品Ａは、予めフック部材１０に吊り下げておいてもよく、先にフック部材１０を取り付け、その後、前方から吊り下げ商品Ａを入れ込んでもよい。
【００２２】
次に、商品吊り下げ具１０Ｂにおける商品の補充方法について説明する。商品吊り下げ具１０Ｂにおける商品の補充方法において、商品吊り下げ具１０Ａにおける商品の補充方法と異なる点について主に説明する。すなわち、図１３に示すように、商品吊り下げ具１０Ｂにおいて、商品を補充するには、フック部材１０を上方に引き上げることで、第２嵌合部２４ａから取り外す。この際、フック部材１０と第２嵌合部２４ａの摩擦抵抗あるいは不慮の外力が作用し、中間取付部３０に上方への力が作用する場合がある。中間取付部３０は、固定側取付部２０ａに嵌め込まれており、固定側取付部２０ａも同様に連れ上がり、中間取付部３０と固定側取付部２０ａが固定部材５０から外れる恐れがある。しかし、本発明の商品吊り下げ具１０Ｂは、抜け防止用の突起３３が固定部材５０の係止しており、中間取付部３０及び固定側取付部２０ａの上方からの脱落を防止できる。フック部材１０を取り外した際の傾斜部１３の作用及び取り外したフック部材１０への吊り下げ商品Ａの補充方法などは商品吊り下げ具１０Ａにおける場合と同様である。
【００２３】
次に、本発明の第３の実施の形態におけるフック部材及びこれを用いた商品吊り下げ具について図１４〜図１７を参照して説明する。図１４〜図１７のフック部材及びこれを用いた商品吊り下げ具において、図１〜図７のフック部材１０及びこれを用いた商品吊り下げ具１０Ａと同一構成要素には、同一符号を付して、その説明を省略し、異なる点について主に説明する。すなわち、第３の実施の形態における商品吊り下げ具１０Ｃにおいて、第１の実施の形態における商品吊り下げ具１０と異なる点は、フック部材の立ち上がり部と取付部である。
【００２４】
本例のフック部材１０ａにおいて、立ち上がり部１３ａは、吊り上げ本体部１１から上方に延びる起立状（前方縦棒部）であり、本例では鉛直状である。すなわち、吊り下げ本体部１１から起立状の前方縦棒部１３１と後方縦棒部１２とは上方で接続され、前方縦棒部１３１と後方縦棒部１２で形成される側面視形状は逆Ｕ字形状である（図１５参照）。すなわち、フック部材１０ａの後方部の側面視形状は、鉛直状の後方縦棒部１２と、鉛直状の後方縦棒部１２の上端から上に凸の略半円状に屈曲する前方縦棒部１３１と後方縦棒部１２を接続する接続部１３２と、接続部１３２の前方下端から下方に延びる鉛直状の前方縦棒部１３１とで形成される逆Ｕ字形状である。
【００２５】
フック部材１０ａにおいて、起立部（立ち上がり部）１３ａは、図１６に示すように、フック部材１０ａを取付部２０ｂから取り外した際、吊り下げ商品Ａの後方端からの脱落を防止する脱落防止部である。また、吊り下げ本体部１１と起立部１３ａの接続部は、角のないアール（丸み）を形成することが、後方からの商品補充を円滑に行うことができる点で好ましい（図１７参照）。フック部材１０ａにおいても、フック部材１０と同様の効果を奏する。
【００２６】
本例の商品吊り下げ具１０Ｃは、フック部材１０ａと、フック部材１０ａを抜き差し自在に支持する、固定部材５０に装着される取付部２０ｂとを有する。取付部２０ｂにおいて、取付部２０と異なる点は、フック部材１０の後方縦棒部１２が嵌る嵌合部２４ｂの形状である。すなわち、嵌合部２４ｂは、フック部材１０の後方縦棒部１２が嵌る円筒嵌合部２４４と、円筒嵌合部２４４の上端部から上に凸の丸みを形成して屈曲し、下方に延びる、フック部材１０の前方縦棒部１３１が係止する前方縦棒部支持部２４５を備える。円筒嵌合部２４４には、後方縦棒部１２が嵌合する上下方向に延びる貫通孔２４１が形成され、前方縦棒部支持部２４５には、前方縦棒部１３１が係止する縦溝２４６が形成されている。縦溝２４６は貫通孔２４１と連続し、貫通孔２４１の上端から凸状の丸みを形成して下方に鉛直に延びている。これにより、フック部材１０ａの後方縦棒部１２と前方縦棒部１３１が、嵌合部２４ｂに嵌合して支持されるため、左右方向への振れは生じない。また、フック部材１０ａは、手で引き上げれば、嵌合部２４ｂから簡単に外すことができる。なお、嵌合部２４ｂにおいて、前方縦棒部支持部２４５は省略してもよく、また、前方縦棒部支持部２４５の上下長さを短くしてもよい。前方縦棒部支持部２４５を省略する場合、円筒嵌合部２４４の上端前部に、フック部材１０ａの接続部１３２が嵌る溝を形成すればよい。本例の商品吊り下げ具１０Ｃの補充方法は、商品吊り下げ具１０Ａと同様に行えばよい。
【００２７】
次に、本発明の第４の実施の形態における商品吊り下げ具について図１８を参照して説明する。図１８の商品吊り下げ具１０Ｄにおいて、図８〜図１３の第２の実施の形態例の商品吊り下げ具１０Ｂと同一構成要素には、同一符号を付して、その説明を省略し、異なる点について主に説明する。すなわち、第４の実施の形態における商品吊り下げ具１０Ｄにおいて、図８〜図１３の商品吊り下げ具１０Ｂと異なる点は、中間取付部とフック部材である。フック部材１０ａは第３の実施の形態例の商品吊り下げ具１０Ｂで使用するフック部材１０ａと同じであり、その説明を省略する。
【００２８】
図１８の中間取付部３０ａにおいて、図１０〜図１３の中間取付部３０と異なる点は、フック部材１０の後方縦棒部１２が嵌る嵌合部の形状である。すなわち、本例の嵌合部２４ｃは、図１４及び図１５の嵌合部２４ｂと同じであり、フック部材１０ａの後方縦棒部１２が嵌る円筒嵌合部２４４と、円筒嵌合部２４４の上端部から上に凸の丸みを形成して屈曲し、下方に延びる、フック部材１０ａの前方縦棒部１３１が支持される前方縦棒部支持部２４５を備える。円筒嵌合部２４４には、後方縦棒部１２が嵌合する上下方向に延びる貫通孔２４１が形成され、前方縦棒部支持部２４５には、前方縦棒部１３１が支持される縦溝２４６が形成されている。縦溝２４６は貫通孔２４１と連続し、貫通孔２４１の上端から凸状の丸みを形成して下方に鉛直に延びている。これにより、フック部材１０ａの後方縦棒部１２と前方縦棒部１３１が、嵌合部２４ｂに嵌合して支持されるため、左右方向への振れは生じない。また、フック部材１０ａは、手で引き上げれば、嵌合部２４ｃから簡単に外すことができる。なお、嵌合部２４ｃにおいて、前方縦棒部支持部２４５は省略してもよく、また、前方縦棒部支持部２４５の上下長さを短くしてもよい。前方縦棒部支持部２４５を省略する場合、円筒嵌合部２４４の上端前部に、フック部材１０ａの接続部１３２が嵌る溝を形成すればよい。本例の商品吊り下げ具１０Ｄの補充方法は、商品吊り下げ具１０Ｂと同様に行えばよい。
【００２９】
本発明のフック部材及び商品吊り下げ具は、上記実施の形態例に限定されず、種々の変形を採ることができる。フック部材において、傾斜部は傾斜部分を前後方向に２つ以上形成してもよい。すなわち、傾斜部は鋸刃状の傾斜部であってもよい。図１４〜図１７におけるフック部材の立ち上がり部である前方縦棒部は起立状に限定されず、後方に傾斜する傾斜状であってもよい。本発明の商品吊り下げ具には、フック部材の上方に、価格表示用の上方フック部材が設置されていてもよい。この場合、上方フック部材は、取付部２０、２０ａから立ち上がり、屈曲して前方へ延びる形状とすればよい。本発明の商品吊り下げ具には、更に公知の自動又は手動の商品前出し装置が装着されていてもよい。
【産業上の利用可能性】
【００３０】
本発明によれば、吊り下げ商品の補充は、実質的に１工程で済む。また、補充に伴う不用意な商品の脱落や取付部の脱落を防止できる。このため、吊り下げ商品の補充が容易となり、作業負担を軽減できる。
【符号の説明】
【００３１】
１０、１０ａ      フック部材
１０Ａ〜１０Ｄ    商品吊り下げ具
１１    吊り下げ本体部
１２    後方縦棒部
１３    傾斜部（立ち上がり部）
１３ａ  前方縦棒部（立ち上がり部）
１４    前方傾斜部
２０    取付部
２０ａ  固定側取付部
２４    嵌合部
３０、３０ａ  中間取付部
５０    固定部材
１３１    前方縦棒部
２４１    貫通孔
２４２    傾斜溝
２４３    傾斜支持部（立ち上がり部支持部）
２４４    円筒嵌合部
２４５    前方縦棒部支持部（立ち上がり部支持部）
【図１】
0006587311.tif 000002
【図２】
0006587311.tif 000003
【図３】
0006587311.tif 000004
【図４】
0006587311.tif 000005
【図５】
0006587311.tif 000006
【図６】
0006587311.tif 000007
【図７】
0006587311.tif 000008
【図８】
0006587311.tif 000009
【図９】
0006587311.tif 000010
【図１０】
0006587311.tif 000011
【図１１】
0006587311.tif 000012
【図１２】
0006587311.tif 000013
【図１３】
0006587311.tif 000014
【図１４】
0006587311.tif 000015
【図１５】
0006587311.tif 000016
【図１６】
0006587311.tif 000017
【図１７】
0006587311.tif 000018
【図１８】
0006587311.tif 000019
【図１９】
0006587311.tif 000020